(57)【要約】      （修正有）【課題】電子制御弁の電磁コイル装置の位置決め用固定ホルダの固定方法に関し、ロウ付け接合時の熱影響を排除すると共に、加工が容易であり、取付が簡単な構造を提供する。【解決手段】電子制御弁の弁座２１と、前記弁座２１に接続された固定ホルダー２２とを含み、前記弁座２１の外壁に周方向に伸びる第一位置決め溝２１１が設けられ、かつ前記第一位置決め溝２１１の開口方向は前記弁座２１の軸方向に垂直であり、前記固定ホルダー２２には前記第一位置決め溝２１１に合わされた位置決めプレート部２２１が設けられており、前記位置決めプレート部２２１は前記第一位置決め溝２１１に挿入され、前記弁座２１と固定的に接続される。【選択図】図２
2011021748.tif 000002
【特許請求の範囲】
【請求項１】
弁座（２１）と、前記弁座（２１）に接続された固定ホルダー（２２）とを含む、電子制御弁に用いる弁体装置において、
前記弁座（２１）の外壁に周方向に伸びる第一位置決め溝（２１１）が設けられ、かつ前記第一位置決め溝（２１１）の開口方向は前記弁座（２１）の軸方向に垂直であり、前記固定ホルダー（２２）には前記第一位置決め溝（２１１）に合わせられた位置決めプレート部（２２１）が設けられており、前記位置決めプレート部（２２１）は前記第一位置決め溝（２１１）に挿入され、前記弁座（２１）と固定的に接続されていることを特徴とする弁体装置。
【請求項２】
前記第一位置決め溝（２１１）は少なくとも半周延び、前記位置決めプレート部（２２１）の形状は略Ｃ字形であることを特徴とする請求項１記載の弁体装置。
【請求項３】
前記固定ホルダー（２２）は、前記位置決めプレート部（２２１）に接続されている固定プレート部（２２２）を更に含み、前記固定プレート部（２２２）は前記電子制御弁の電磁コイル装置を支持していることを特徴とする請求項２記載の弁体装置。
【請求項４】
前記固定ホルダー（２２）は円弧形接続部（２２３）を更に含み、前記位置決めプレート部（２２１）は前記円弧形接続部（２２３）を介し前記固定プレート部（２２２）に接続されていることを特徴とする請求項３記載の弁体装置。
【請求項５】
前記固定プレート部（２２２）には、電磁コイル装置の留め具（２’２）の位置決め凸起部に合うように第二位置決め溝（２２２ａ）が設けられていることを特徴とする請求項４記載の弁体装置。
【請求項６】
前記固定プレート部（２２２）は少なくとも一つの固定プラットフォームを含み、各前記固定プラットフォームの頂面はいずれも前記位置決めプレート部（２２１）の頂面に平行であり、かつ同一平面内にあって、各前記固定プラットフォームの少なくとも一つには前記第二位置決め溝（２２２ａ）が設けられていることを特徴とする請求項５記載の弁体装置。
【請求項７】
前記固定プラットフォームの数は少なくとも二つであり、各前記固定プラットフォームは前記弁座（２１）の軸線と垂直な平面内に分布する範囲が１８０°より大きいことを特徴とする請求項６記載の弁体装置。
【請求項８】
前記固定プラットフォームの数は三つであり、それぞれ第一固定プラットフォーム（２２２１）、第二固定プラットフォーム（２２２２）及び第三固定プラットフォーム（２２２３）であり、前記第一固定プラットフォーム（２２２１）の中面と前記位置決めプレート部（２２１）の中面は共通の面であり、前記第一固定プラットフォーム（２２２１）には一つの前記第二位置決め溝（２２２ａ）が設けられており、前記第二固定プラットフォーム（２２２２）と前記第三固定プラットフォーム（２２２３）は、それぞれ前記位置決めプレート部（２２１）の両端部に設けられ、二つの固定プラットフォームは前記位置決めプレート部（２２１）の中面の両側に対称に分布することを特徴とする請求項７記載の弁体装置。
【請求項９】
前記固定プラットフォームの数は二つであり、それぞれ第四固定プラットフォーム（２２２４）と第五固定プラットフォーム（２２２５）であり、前記第四固定プラットフォーム（２２２４）と前記第五固定プラットフォーム（２２２５）は、それぞれ前記位置決めプレート部（２２１）の両端部に設けられ、二つの固定プラットフォームは前記位置決めプレート部（２２１）の中面の両側に対称に分布することを特徴とする請求項７記載の弁体装置。
【請求項１０】
前記位置決めプレート部（２２１）の両端部は、その開口の接線方向に沿ってそれぞれ第一接続部（２２１ａ）と第二接続部（２２１ｂ）が延び出しており、前記第一接続部（２２１ａ）と前記第二接続部（２２１ｂ）は前記第一位置決め溝（２１１）にかしめられていることを特徴とする請求項６〜９の何れかに記載の弁体装置。
【請求項１１】
前記位置決めプレート部（２２１）の内端に凸起部（２２１ｃ）が設けられており、前記第一位置決め溝（２１１）の底部に前記凸起部（２２１ｃ）に合わせられる凹み部（２１１ａ）が設けられていることを特徴とする請求項１０記載の弁体装置。
【請求項１２】
前記位置決めプレート部（２２１）と前記弁座（２１）との間で、レーザー溶接やアルゴン溶接により固定的な接続が実現されていることを特徴とする請求項１〜９の何れかに記載の弁体装置。
【請求項１３】
前記位置決めプレート部（２２１）と前記弁座（２１）との溶接点は、前記位置決めプレート部（２２１）の底壁に位置することを特徴とする請求項１２記載の弁体装置。
【請求項１４】
請求項１〜１３の何れかに記載の弁体装置を含むことを特徴とする電子制御弁。
【請求項１５】
前記電子制御弁の電磁コイル装置は、その円周側面に突き出ている配線端子部（２’１２）が設けられているコイル本体（２’１）を含み、前記電磁コイル装置は、挿入プレート部（２’２２）を有する留め具（２’２）を更に含み、前記挿入プレート部（２’２２）はポッティング材によって前記配線端子部（２’１２）とポッティング接続されていることを特徴とする請求項１４記載の電子制御弁。
【請求項１６】
前記配線端子部（２’１２）に第三位置決め溝（２’１２ａ）が更に設けられており、前記挿入プレート部（２’２２）はポッティング材によって前記第三位置決め溝（２’１２ａ）にポッティング接続されていることを特徴とする請求項１５記載の電子制御弁。
【発明の詳細な説明】
【技術分野】
【０００１】
本発明は冷凍システムの電子制御弁の技術分野に関し、特に弁体装置に関するものである。本発明は、さらにこの弁体装置を含む電子制御弁に関するものである。
【背景技術】
【０００２】
冷凍システムの電子制御弁は、一般的に、弁体装置と、前記弁体装置に接続されている電磁コイル装置とを含む。前記弁体装置は固定ホルダーを含み、前記電磁コイル装置は留め具を含み、前記固定ホルダーは前記留め具に合わせられていることで、前記弁体装置と前記電磁コイル装置との間の相互の位置決めが実現されている。
【０００３】
電子制御弁は動作する時に、前記電磁コイル装置の通電による磁界を利用して、前記弁体装置のバルブコアの移動を動かすことによって、弁口の開き動作を制御する。
【０００４】
図１を参照すると、図１は従来技術における典型的な弁体装置の構造模式図である。
【０００５】
従来技術における弁体装置は、弁座１１と、弁体のハウジング１３と、銅管１４と、カバーと、弁座と溶接した固定ホルダー１２とを含み、弁座１１はカバーと溶接することにより、弁体のハウジング１３との接続を実現する。
【０００６】
固定ホルダー１２は中心に開口するプレートであるので、それをまず弁座１１と、弁体のハウジング１３と、銅管１４と、カバーと一緒に組み立て、その後、弁座１１をカバーと一緒に溶接し、固定ホルダー１２を弁座１１と溶接することができる。弁座１１とカバーとの溶接方式は基本的に高温ロウ付けが採用されており、弁座１１をカバーと溶接する時に、固定ホルダー１２は溶接点との距離が非常に近いので、比較的に高いロウ付け温度が固定ホルダー１２の材質を軟化させ、固定ホルダー１２の材料強度を低下してしまうので、実際に使用している時に固定ホルダー１２は極めて曲がり変形しやすくなり、ある程度の錆び現象が現れることがある。
【０００７】
同時に、固定ホルダー１２は弁座１１とカバーとの距離が非常に近いので、弁座１１とカバーとの間の溶接に影響を与えるため、弁座１１のロウ付けの成功率が低下する。
【０００８】
また、従来技術において、固定ホルダー１２と弁座１１との溶接方式も高温ロウ付けを採用しており、当然、同様に高いロウ付け温度が固定ホルダー１２の材質をも軟化させて、固定ホルダー１２の材料強度が低下してしまうので、固定ホルダー１２の曲がり変形と錆びの発生を招く。
【発明の開示】
【発明が解決しようとする課題】
【０００９】
本発明が解決しようとする技術的課題は、弁座とカバーとを溶接する時に、固定ホルダーの損害を防ぎ、かつ固定ホルダーと弁座はお互いに正確に位置決めすることができ、溶接が便利で確実である弁体装置を提供することである。本発明が解決しようとする他の技術的課題は、前記弁体装置を含む電子制御弁を提供することである。
【課題を解決するための手段】
【００１０】
前記の技術問題を解決するために、本発明は、電子制御弁に用いる弁体装置を提供し、弁座と、前記弁座に接続された固定ホルダーとを含み、前記弁座の外壁に周方向に伸びる第一位置決め溝が設けられ、かつ前記第一位置決め溝の開口方向は前記弁座の軸方向に垂直であり、前記固定ホルダーには前記第一位置決め溝に合わされた位置決めプレート部が設けられており、前記位置決めプレート部は前記第一位置決め溝に挿入され、前記弁座と固定的に接続されている。
【００１１】
好ましくは、前記第一位置決め溝は少なくとも半周延び、前記位置決めプレート部の形状は大体Ｃ字形である。
【００１２】
好ましくは、前記固定ホルダーは、前記位置決めプレート部に接続されている固定プレート部を更に含み、前記固定プレート部は前記電子制御弁の電磁コイル装置を支持している。
【００１３】
好ましくは、前記固定ホルダーは円弧形接続部を更に含み、前記位置決めプレート部は前記円弧形接続部を介し前記固定プレート部に接続されている。
【００１４】
好ましくは、前記固定プレート部には、電磁コイル装置の留め具の位置決め凸起部に合うように第二位置決め溝が設けられている。
【００１５】
好ましくは、前記固定プレート部は少なくとも一つの固定プラットフォームを含み、各前記固定プラットフォームの頂面はいずれも前記位置決めプレート部の頂面に平行であり、同一平面にあって、各前記固定プラットフォームの少なくとも一つには前記第二位置決め溝が設けられている。
【００１６】
好ましくは、前記固定プラットフォームの数は少なくとも二つであり、各前記固定プラットフォームは前記弁座の軸線に垂直な平面内に分布する範囲が180゜より大きい。
【００１７】
好ましくは、前記固定プラットフォームの数は三つであり、それぞれ第一固定プラットフォーム、第二固定プラットフォーム及び第三固定プラットフォームであり、前記第一固定プラットフォームの中面と前記位置決めプレート部の中面は共通の面であり、前記第一固定プラットフォームに一つの前記第二位置決め溝が設けられており、前記第二固定プラットフォームと前記第三固定プラットフォームは、それぞれ前記位置決めプレート部の両端部に設けられ、二つの固定プラットフォームは前記位置決めプレート部の中面の両側に対称に分布する。
【００１８】
好ましくは、前記固定プラットフォームの数は二つであり、それぞれ第四固定プラットフォームと第五固定プラットフォームであり、前記第四固定プラットフォームと前記第五固定プラットフォームは、それぞれ前記位置決めプレート部の両端部に設けられ、二つの固定プラットフォームは前記位置決めプレート部の中面の両側に対称に分布する。
【００１９】
好ましくは、前記位置決めプレート部の両端部は、その開口の接線方向に沿ってそれぞれ第一接続部と第二接続部が延び出しており、前記第一接続部と前記第二接続部は前記第一位置決め溝にかしめられている。
【００２０】
好ましくは、前記位置決めプレート部の内端に凸起部が設けられており、前記第一位置決め溝の底部に前記凸起部に合わせられる凹み部が設けられている。
【００２１】
好ましくは、前記位置決めプレート部と前記弁座との間は、レーザー溶接やアルゴン溶接により固定的な接続が実現されている。
【００２２】
好ましくは、前記位置決めプレート部と前記弁座との溶接点は、前記位置決めプレート部の底壁に位置する。
【００２３】
前記技術問題を解決するために、本発明は前記いずれか一項に記載の弁体装置を含む電子制御弁を更に提供する。
【００２４】
好ましくは、前記電子制御弁の電磁コイル装置は、その円周側面に突き出ている配線端子部が設けられているコイル本体を含み、前記電磁コイル装置は挿入プレート部を有する留め具を更に含み、前記挿入プレート部はポッティング材によって前記配線端子部とポッティング接続されている。
【００２５】
好ましくは、前記配線端子部には第三位置決め溝が更に設けられており、前記挿入プレート部はポッティング材によって前記第三位置決め溝にポッティング接続されている。
【００２６】
従来技術に比べると、本発明が提供する電子制御弁に用いる弁体装置は、弁座と、前記弁座に接続された固定ホルダーとを含み、前記弁座の外壁に周方向に伸びる第一位置決め溝が設けられ、かつ前記第一位置決め溝の開口方向は前記弁座の軸方向に垂直である。前記固定ホルダーには前記第一位置決め溝に合わされた位置決めプレート部が設けられており、前記位置決めプレート部は前記第一位置決め溝に挿入され、前記弁座と固定的に接続されている。
【００２７】
弁座の外壁に第一位置決め溝があり、固定ホルダーの位置決めプレート部は第一位置決め溝に挿入することで、弁座と固定ホルダーとの位置決めを実現することができる。このような構造設計において、固定ホルダーは弁座と、弁体のハウジングと、カバーと、銅管とを一緒に組み立てる必要がなく、弁座はカバーとの溶接により弁体のハウジングとの接続が実現され、その後、更に固定ホルダーと弁座との組み立て溶接を行う。
【００２８】
弁座とカバーの間の溶接方式は基本的に高温ロウ付けを採用し、弁座とカバーとを溶接する時に、固定ホルダーと弁座は組み立てられておらず、高いロウ付け温度が固定ホルダーに影響を与えないため、高温ロウ付けによる固定ホルダーへの損害を防ぐことができる。
【００２９】
弁座とカバーとの溶接を完成してから、固定ホルダーと弁座との溶接を行い、この時に、固定ホルダーの位置決めプレート部を弁座の第一位置決め溝と合わせることにより、固定ホルダーと弁座との位置決めを実現し、そして、固定ホルダーを弁座に溶接する。この方式は固定ホルダーと弁座とがお互いに正確に位置決めされ、溶接が便利になり、溶接の品質が高まる。
【発明の効果】
【００３０】
以上説明したように、本発明に提供された弁体装置は、弁座とカバーとを溶接する時に、固定ホルダーの損害を防ぎ、かつ固定ホルダーと弁座とがお互いに正確に位置決めされ、溶接が便利で確実である。
【図面の簡単な説明】
【００３１】
【図１】従来技術における典型的な弁体装置の構造模式図
【図２】本発明の一つの実施例における、弁体装置の固定ホルダーと弁座が分離状態にある構造模式図
【図３】本発明の一つの実施例における弁体装置の固定ホルダーと弁座が取り付け状態にある構造模式図
【図４】本発明の一つの実施例における弁体装置の固定ホルダーの構造模式図
【図５】本発明の一つの実施例における電子制御弁の構造模式図
【図６】本発明の一つの実施例における弁体装置の弁座と固定ホルダーとの溶接点の位置模式図
【図７】本発明のもう一つの実施例における弁体装置の固定ホルダーの構造模式図
【図８】本発明の他の実施例における弁体装置の固定ホルダーの構造模式図
【図９】本発明のさらに他の実施例における弁体装置の固定ホルダーの構造模式図
【図１０】本発明のさらに他の実施例における電子制御弁の構造模式図
【図１１】図１０における断面Ａ−Ａの構造模式図
【図１２】図１１におけるＢ部位の一部の拡大図
【発明を実施するための最良の形態】
【００３２】
本発明の核心は弁体装置を提供することであり、当該弁体装置は、弁座とカバーとを溶接する時に、固定ホルダーの損害を防ぎ、かつ固定ホルダーと弁座とがお互いに正確に位置決めされ、溶接を便利で確実にすることができる。本発明の他の核心は、前記弁体装置を含む電子制御弁を提供することである。
【００３３】
当業者が本発明の技術案をよりよく理解するように、図面と具体的な実施例とを参照しながら本発明をより詳しく説明する。
【００３４】
図２と図３とを参照すると、図２は本発明の一つの実施例における、弁体装置の固定ホルダーと弁座が分離状態にある構造模式図である。図３は本発明の一つの実施例における、弁体装置の固定ホルダーと弁座が取り付けられた状態にある構造模式図である。
【００３５】
第一の実施例において、本発明に係る電子制御弁に用いる弁体装置は、弁座２１と固定ホルダー２２とを含み、弁座２１と固定ホルダー２２が接続されている。固定ホルダー２２には位置決めプレート部２２１が設けられ、弁座２１の外壁に周方向に伸びる第一位置決め溝２１１が設けられ、かつ第一位置決め溝２１１の開口方向は弁座２１の軸方向に垂直である。位置決めプレート部２２１は第一位置決め溝２１１に合わせられており、位置決めプレート部２２１は第一位置決め溝２１１に挿入され、弁座２１と固定的に接続されている。
【００３６】
このような構造設計において、まず、弁座２１と、弁体のハウジング２３と、銅管２４と、カバーとを組み立てて、組み立てが完成してから、位置決めプレート部２２１を第一位置決め溝２１１に挿入する。これにより固定ホルダー２２と弁座２１との位置決めが実現され、そして溶接などの方式により、固定ホルダー２２と弁座２１とを固定的に接続することが実現される。当然、前記固定接続方式は溶接に限らず、他の固定的に接続する方式を採用してもよい。
【００３７】
弁座２１とカバーとの溶接方式は基本的に高温ロウ付けを採用し、弁座２１とカバーとを溶接する時に、固定ホルダー２２と弁座２１とは組み立てられておらず、高いロウ付け温度が固定ホルダー２２に影響を与えないため、高温ロウ付けによる固定ホルダー２２の損害を防ぐことができる。
【００３８】
同時に、位置決めプレート部２２１を第一位置決め溝２１１に挿入することにより、固定ホルダー２２と弁座２１とがより正確に位置決めされ、そして固定ホルダー２２を弁座２１に溶接することにより、溶接の品質が高まり、溶接も便利になる。
【００３９】
本発明に係る弁体装置は、弁座２１とカバーとを溶接する時に、固定ホルダー２２への損害を防ぎ、かつ固定ホルダー２２と弁座２１とがお互いに正確に位置決めされ、溶接が便利で確実である。
【００４０】
図２を参照すると、本発明の第二の実施例は前記の第一の実施例に基づいて、更に改善したものである。
【００４１】
具体的に、第一位置決め溝２１１は少なくとも半周延び、位置決めプレート部２２１の形状は大体Ｃ字形である。当然、第一位置決め溝２１１はリング状の凹溝としてもよい。位置決めプレート部２２１の形状は大体Ｃ字形であるため、位置決めプレート部２２１を第一位置決め溝２１１に緊密に合わせており、これにより位置決めの正確性を向上でき、位置決めプレート部２２１と弁座２１との溶接品質を向上できる。
【００４２】
図４と図５とを参照すると、図４は本発明の一つの実施例における弁体装置の固定ホルダーの構造模式図である。図５は本発明の一つの実施例における電子制御弁の構造模式図である。
【００４３】
本発明の第三の実施例は前記の第二の実施例に基づいて、更に改善したものである。
【００４４】
第三の実施例において、図４に示すように、固定ホルダー２２は固定プレート部２２２を更に含み、固定プレート部２２２と位置決めプレート部２２１とを接続し、固定プレート部２２２は前記電子制御弁の電磁コイル装置を支持している。図５に示すように、前記電磁コイル装置には更に位置決め凸台２’１１を設けてもよく、具体的には、固定プレート部２２２と位置決め凸台２’１１とを貼り付けて、それにより前記電磁コイル装置を支持する。このような方式は簡単且つ便利で、操作しやすく、且つコストが低い。
【００４５】
本発明の第四の実施例は前記の第三の実施例に基づいて、更に改善したものである。
【００４６】
第四の実施例において、固定ホルダー２２は円弧形接続部２２３を更に含み、円弧形接続部２２３は位置決めプレート部２２１と接続するとともに、円弧形接続部２２３は固定プレート部２２２と接続するため、位置決めプレート部２２１と固定プレート部２２２との接続が実現される。
【００４７】
円弧形接続部２２３は縦方向に適正な高さを有するため、製品をデザインする時に、円弧形接続部２２３の高さを調整することができ、従ってコイルと磁体との間の位置を最適になるように弁体装置と電磁コイル装置との軸方向にて相対的な位置を調整でき、結果としては最大の駆動トルクを得ることができる。
【００４８】
前記第四の実施例に基づいて、更に改善することができる。図４に示すように、固定プレート部２２２は更に第二位置決め溝２２２ａを設けてもよく、これにより電磁コイル装置の留め具２’２の位置決め凸起部と便利に合わせられるようになる。
【００４９】
図５に示すように、位置決め凸起部は第二位置決め溝２２２ａに締め込んで、弁体装置と前記電磁コイル装置は縦方向に相対的な位置が固定されるとともに、前記弁体装置と前記電磁コイル装置を周方向に相対的な位置に固定させることにより、両者の間の相互の位置決めが実現される。
【００５０】
図７と図８を参照すると、図７は本発明のもう一つの実施例における弁体装置の固定ホルダーの構造模式図である。図８は本発明の他の実施例における弁体装置の固定ホルダーの構造模式図である。
【００５１】
前記第二位置決め溝２２２ａが設けられている実施例において、固定プレート部２２２は周方向に沿って連続的に分布する構造であり、このような構造の加工難度は大きいため、加工コストが高い。これに鑑みて、固定プレート部２２２の加工難度を低下させて、更に加工コストを下げるために、更にそれを改善することができる。具体的には、図７と図８に示すように、固定プレート部２２２は少なくとも一つの固定プラットフォームを含み、各前記固定プラットフォームの頂面はいずれも位置決めプレート部２２１の頂面に平行であり、同一平面にある。各前記固定プラットフォームの少なくとも一つには第二位置決め溝２２２ａが設けられている。明らかに、本実施例において、簡単な折り曲げプロセスによって前記固定プラットフォームを簡単的に加工することができ、各前記固定プラットフォームの頂面からなる平面がコイル本体２’１（図１０に示す）の射出成形の位置決め凸台２’１１（図１０に示す）を支持することにより、コイル本体２’１に対して軸方向の位置決めを行う。また、各前記固定プラットフォームの頂面からなる平面は位置決めプレート部２２１の頂面に平行であり、かつ軸方向の間隔を有し、当該間隔は固定ホルダー２２と磁体との相対的な位置を調整することができる。
【００５２】
図４に示すように、固定プレート部２２２を周方向に沿って連続的に分布する固定ホルダー２２の加工プロセスは、まず大体円形のプレートに、比較的複雑な引っ張りプロセスにより円弧形接続部２２３を形成して、プレートを浅い桶状に形成させるとともに、プレートを略長円形にする。次に、長円形プレートを短径に沿って切開し、第二位置決め溝２２２ａを設けない二つの固定ホルダー２２に分けて、そして固定ホルダー２２に第二位置決め溝２２２ａを設ける。当該プロセスにおいて、引っ張りプロセスは複雑であり、時間が多くかかるので、固定ホルダー２２を加工し難く、加工コストが高い。本発明においては、固定プレート部２２２はお互いに接しない固定プラットフォームに分けられ、まず一回目折り曲げにより円弧形接続部２２３を形成して（注意すべきなのは、本発明において、相応的に円弧形接続部２２３も連続的に分布するものではないことである）、そして円弧形接続部２２３にあるプレートを基礎にして、二回目の外向き折り曲げにより、複数の固定プラットフォームを形成することができる。従って加工難度を低下して、加工の効率を高め、加工コストが下がることが明らかである。
【００５３】
明らかに、前記実施例は、周方向に沿って連続的に分布する固定プレート部２２２に対して、前記固定プラットフォーム構造で限定された固定プレート部２２２は材料を節約するという利点があるため、材料のコストが更に下がる。
【００５４】
前記実施例において、固定プラットフォームの数は一つでもよいが、当然これに限らない。固定プラットフォームによりコイルを支持する安定性を更に向上するために、前記固定プラットフォームの数は少なくとも二つでもよい、かつ各前記固定プラットフォームは弁座２１（図１０に示す）の軸線と垂直なる平面内に分布する範囲が１８０゜より大きい。
【００５５】
当然、固定プラットフォームの数と位置に対して更に設定することができる。図７に示すように、前記固定プラットフォームの数は三つであり、それぞれ第一固定プラットフォーム２２２１、第二固定プラットフォーム２２２２および第三固定プラットフォーム２２２３である。第一固定プラットフォーム２２２１の中面と位置決めプレート部２２１の中面は共通の面であり、第一固定プラットフォーム２２２１に一つの第二位置決め溝２２２ａが設けられている。固定プラットフォームの分布範囲を更に大きくするために、第二固定プラットフォーム２２２２と第三固定プラットフォーム２２２３はそれぞれ位置決めプレート部２２１の両端部に設けることができ、二つの固定プラットフォームは位置決めプレート部２２１の中面の両側に対称に分布する。ここで説明する必要があるのは、本文において、位置決めプレート部２２１の中面は、その頂面に垂直であり、かつ略円形の開口の中心を通り、それを対称的な二つの部分に分ける中面である。第一固定プラットフォーム２２２１の中面は、その頂面に垂直であり、かつ略円形の開口の中心を通り、それを対称的な二つの部分に分ける中面である。当該実施例は三つの固定プラットフォームを備え、第二固定プラットフォーム２２２２と第三固定プラットフォーム２２２３は位置決めプレート部２２１の中面の両側に対称に分布することにより、コイルを支持する安定性を更に向上し、また構造が比較的に簡単で、製造コストが低い。
【００５６】
さらに、図８に示すように、前記固定プラットフォームの数は二つでもよく、それぞれ第四固定プラットフォーム２２２４と第五固定プラットフォーム２２２５である。当然、二つの固定プラットフォームの分布範囲を大きくするために、図８に示すように、第四固定プラットフォーム２２２４と第五固定プラットフォーム２２２５はそれぞれ位置決めプレート部２２１の両端部に分布することができる。ここで説明する必要があるのは、第四固定プラットフォーム２２２４と第五固定プラットフォーム２２２５は、位置決めプレート部２２１の中面に対して絶対に対称しておらず、第五固定プラットフォーム２２２５に第二位置決め溝２２２ａが設けられているため、両者は位置決めプレート部２２１の中面に対してほぼ対称となっている。明らかに、この実施例はコイルを支持する安定性を保証する上で、構造を更に簡単化し、製造コストが下がることができる。
【００５７】
図９、図１０及び図１１を参照すると、図９は本発明のさらに他の実施例における弁体装置の固定ホルダーの構造模式図である。図１０は本発明のさらに他の実施例における電子制御弁の構造模式図である。図１１は図１０における断面Ａ−Ａの構造模式図である。
【００５８】
前記固定プラットフォームが設けられているいずれか一つの実施例において、更に固定ホルダー２２と弁座２１との接続方式を設定することができる。具体的に、図９に示すように、位置決めプレート部２２１の両端部は、その開口の接線方向に沿って、それぞれ第一接続部２２１ａと第二接続部２２１ｂが延び出しており、図１１に示すように、専用工具により第一接続部２２１ａと第二接続部２２１ｂを変形させることにより、それを第一位置決め溝２１１にかしめられる。当該接続方式は溶接による固定ホルダー２２の損害を防ぐことが明らかである。
【００５９】
図１２を参照すると、図１２は図１１におけるＢ部位の一部の拡大図である。
【００６０】
図１２に示すように、固定ホルダー２２が弁座２１の回りで回転することを更に防止するために、位置決めプレート部２２１の内端に凸起部２２１ｃを設けることができ、第一位置決め溝２１１の底部に凸起部２２１ｃに合わせる凹み部２１１ａを設けることができる。この実施形態は固定ホルダー２２が弁座２１の回りで回転することを防止することができ、構造は比較的に簡単で、加工コストが低いことが明らかである。
【００６１】
本発明の第五の実施例は前記いずれか一つの実施例に基づいて、更に改善したものである。
【００６２】
第五の実施例において、位置決めプレート部２２１は第一位置決め溝２１１に挿入されて、溶接により固定的に接続を実現することができ、具体的に、位置決めプレート部２２１と弁座との間は、レーザー溶接やアルゴン溶接により固定的な接続が実現されている。
【００６３】
従来技術において、固定ホルダー２２はロウ付けにより弁座２１に接続され、ロウ付け温度が高いため、溶接する時に固定ホルダー２２自身に損害を招く。高温ロウ付けに対して、固定ホルダー２２を溶接する時に、レーザー溶接やアルゴン溶接の温度が低いため、溶接による固定ホルダー２２自身の損害を著しく低下することができる。
【００６４】
図６を参照すると、図６は本発明の一つの実施例における弁体装置の弁座と固定ホルダーとの溶接点の位置模式図である。
【００６５】
具体的に、位置決めプレート部２２１と弁座２１との溶接点３は、位置決めプレート部２２１の底壁に位置し、かつ第一位置決め溝２１１に接触する。このような設置方式は溶接を便利にし、かつ溶接品質を高めることができる。
【００６６】
また、本発明は前記いずれか一つの実施例にて説明した弁体装置を含む電子制御弁を更に提供する。
【００６７】
図５を参照すると、第一の実施例において、本発明に提供された電磁コイル装置は、コイル本体２’１を含み、コイル本体２’１にはその円周側面に突き出ている配線端子部２’１２が設けられいる。前記電磁コイル装置は留め具２’２を更に備え、留め具２’２は凸起プレート部２’２１と、凸起プレート部２’２１に固定的に接続されている挿入プレート部２’２２を備える。挿入プレート部２’２２はポッティング材で配線端子部２’１２とポッティング接続されている。前記ポッティング材は樹脂材料を採用することができ、樹脂材料が初めは流体状であり、一定の期間の放置によって、樹脂材料は徐徐に硬化し、これによって挿入プレート部２’２２と前記配線端子２’１２との固定接続を実現する。
【００６８】
ネジ接続に比べると、ポッティング材を介して留め具２’２とコイル本体２’１を固定的に接続することによって、両者の接続の信頼性を著しく向上でき、また、ネジの使用量も減少でき、これにより加工コストが下がる。
【００６９】
溶接に比べると、ポッティング材を介して留め具２’２とコイル本体２’１を固定的に接続することで、留め具２’２とコイル本体２’１のステーターのハウジングとの間の異種金属溶接によるステーターのハウジングへの電気化学的腐食を防ぎ、それによって前記電磁コイルの使用寿命が長くなる。
【００７０】
図５を参照すると、本発明に提供された電子制御弁の第二の実施例は、前記第一の実施例に基づいて、更に改善したものである。
【００７１】
第二の実施例において、配線端子部２’１２には第三位置決め溝２’１２ａが更に設けられており、挿入プレート部２’２２はポッティング材を介して第三位置決め溝２’１２ａにポッティング接続されている。
【００７２】
ポッティングする前に、先ず、留め具２’２の挿入プレート部２’２２を第三位置決め溝２’１２ａに配置して固定させ、それからポッティング材を第三位置決め溝２’１２ａに注ぎ込み、前記ポッティング材は第三位置決め溝２’１２ａの側壁の作用で、挿入プレート部２’２２を囲み、ポッティング材が硬化すると、挿入プレート部２’２２を第三位置決め溝２’１２ａにポッティング固定させる。このような挿入プレート部を固定する方式は、簡単且つ便利で、操作しやすく、且つ挿入プレート部２’２２と配線端子部２’１２との固定接続が更に確実になる。
【００７３】
以上、本発明に係る電子制御弁及びその弁体装置に対して詳細な説明を行った。本文において具体的な個別例を用いて本発明の原理及び実施形態について詳説しており、以上の実施例の説明はただ本発明の方法及びその核心思想を理解するためのものである。指摘すべきなのは、本技術分野の一般的な技術者にとって、本発明の原理から逸脱しない前提で、本発明に対して若干改善と飾りをすることもでき、これらの改善や飾りも本発明の特許請求の保護範囲に属することである。
【符号の説明】
【００７４】
２１：弁座
２２：固定ホルダー
２１１：第一位置決め溝
２２１：位置決めプレート部
２２２：固定プレート部
２２３：円弧形接続部
２’２：留め具
２２２ａ：第二位置決め溝
２２２１：第一固定プラットフォーム
２２２２：第二固定プラットフォーム
２２２３：第三固定プラットフォーム
２２２４：第四固定プラットフォーム
２２２５：第五固定プラットフォーム
２２１ａ：第一接続部
２２１ｂ：第二接続部
２２１ｃ：凸起部
２１１ａ：凹み部
２’１２：配線端子部
２’１：コイル本体
２’２２：挿入プレート部
２’１２ａ：第三位置決め溝
【図２】
2011021748.tif 000003
【図３】
2011021748.tif 000004
【図４】
2011021748.tif 000005
【図６】
2011021748.tif 000006
【図７】
2011021748.tif 000007
【図８】
2011021748.tif 000008
【図９】
2011021748.tif 000009
【図１０】
2011021748.tif 000010
【図１１】
2011021748.tif 000011
【図１２】
2011021748.tif 000012
【図１】
2011021748.tif 000013
【図５】
2011021748.tif 000014